(57)【要約】【課題】加熱滅菌装置などの汚染物処理装置が設置された汚染物処理エリア内の病原性微生物あるいは有害物から一般エリアを防護する。【解決手段】処理室１と、準備室２とを有している。処理室１は、汚染物処理が設置された汚染物処理エリアＤＡを一般エリアＯＡから隔離する区画であり、室内に接続された排気ファン１１は、室内の空気を排気管１０内に吸引して一般エリアＯＡに排気するとともに処理室１内を負圧に保持するものであり、排気管１０に排気を浄化するフィルター１２を有している。準備室２は、処理室１内で作業する作業者、作業服、作業用具などを洗浄する部屋であり、処理室１に通じ、排気ファン１１の吸引力が作用して内部は負圧に保持されており、処理室１内の空気は、準備室２を通して一般エリアＯＡ内に漏れることがない。【選択図】  図１
2004195067.tif 000002
【特許請求の範囲】
【請求項１】
処理室と、準備室とを有する汚染物処理エリアにおける安全管理設備であって、
処理室は、汚染物処理が設置された汚染物処理エリアを一般エリアから隔離する区画であり、室内には排気ファンが接続され、
排気ファンは、室内の空気を排気管内に吸引して一般エリアに排気するとともに処理室内を負圧に保持するものであり、その排気管に、排気を浄化するフィルターを有し、
準備室は、処理室内で作業する作業者、作業服、作業用具などを洗浄する部屋であり、処理室に通じ、排気ファンの吸引力が作用して内部は負圧に保持されるものであることを特徴とする汚染物処理エリアにおける安全管理設備。
【請求項２】
準備室は、更衣室とシャワー室であり、
更衣室は、作業員が一般エリアで着用する衣服と汚染物処理エリアで着用する防護服との着替室であり、
シャワー室は、処理室内での作業を終えた作業員の防護服や作業器具類を空気、水又は薬剤にて洗浄する室であり、
更衣室とシャワー室とは、作業員が処理室の負圧になれるための段階的減圧室をかねているものであることを特徴とする請求項１に記載の安全管理設備。
【請求項３】
処置室とシャワー室間およびシャワー室と更衣室間および更衣室と一般エリア間は、小窓で連通し、小窓には処理室内の負圧に吸引されて小窓を開放する方向に傾くバランシングダンパーが設けられていることを特徴とする請求項２に記載の汚染物処理エリアにおける安全管理設備。
【請求項４】
汚染物の処理エリアは、医療施設から発生する感染性排水の処理エリアであり、医療施設の建物の免震階の空間に設定され、
汚染物の処理エリアに建てられた処理室内には、医療施設の病床、手術室などから排出される感染性排水を貯留する原水槽を含む汚染物の処理設備が据え付けられていることを特徴とする請求項１に記載の汚染物処理エリアにおける安全管理設備。
【発明の詳細な説明】
【０００１】
【発明の属する技術分野】
本発明は、汚染物の処理エリア、例えば感染性排水の処理エリアからの感染病原性微生物の漏出を防止し、さらにエリア内での作業の安全を確保する汚染物処理エリアにおける安全管理設備に関する。
【０００２】
【従来の技術】
医療施設から排出される感染病床排水、解剖室排水などは、感染性排水と云われ、感染性排水には病原性微生物が混入する恐れのある血液や体液がふくまれているため、放流に際しては十分な滅菌処理が必要である。医療施設から排出される感染性排水は、感染性排水に塩素を添加して滅菌する方法（塩素滅菌法）や、感染性排水中に蒸気を直接吹き込んで滅菌する方法（蒸気直接加熱滅菌法）などを用いて処理されるが、いずれの方法も必ずしも十分に処理されないまま下水道に放流されていたのが実情であった。
【０００３】
このような実情に対処するため、感染性指定医療機関には、感染性処理設備の設置を義務づける「感染症の予防および感染症の患者に対する医療に関する法律」（平成１０年４月１日施行）が制定され、第一，二類対応医療機関指定は、感染性排水処理設備の設置が義務付けられるようになった。新法では、感染性排水を表１のように分類している。
【０００４】
【表１】
2004195067.tif 000003
【０００５】
このような問題点を解決する有効な感染性排水の滅菌処理方法として、感染性排水を満たした滅菌槽の外周に設置されたジャケット内に蒸気を送入し、蒸気の熱を槽壁を通して感染性排水に作用させ、感染性排水に対流を生じさせて均一に加熱滅菌する方法とその装置が提案されている（特許文献１参照）。
【０００６】
【特許文献１】特願２００１−２４７３５０号
【０００７】
特許文献１によれば、感染性排水の対流によって排水を均一に加熱滅菌でき、間接加熱のため、滅菌処理の作業終了後の各部メンテナンスを容易に行うことができる。このような加熱滅菌装置が正常に稼動しているかぎり、感染性排水の滅菌処理には格別問題は生じないにしても、加熱滅菌装置の故障時、あるいは感染性排水の原水槽や加熱滅菌装置を洗浄あるいはオーバーホールするようなときには、加熱滅菌装置内が直接外気に晒されて滅菌槽内や配管類に付着している病原性微生物が外気に放散され、放散された病原性微生物によって一般エリアが汚染される危険がある。
【０００８】
また、作業員の安全が確保されなければならない。このような問題は、病原性微生物による環境汚染の問題ではなくダイオキシンのような有害物の処理装置の設置エリアについても同じことが云える。
【０００９】
さらに、第一、第二類対応医療機関が「感染症の予防および感染症の患者に対する医療に関する法律」の施行に対応するには、前述のような技術的な課題の解決が迫られるほか、医療機関には感染性排水の処理エリアを確保することが求められる。地方都市や郊外の医療機関では土地の確保は比較的容易な場合が多いが、大都市には高層ビル内で運営される医療機関も多く、感染性排水の処理エリアを確保するのは必ずしも容易ではない。
【００１０】
本発明の目的は、加熱滅菌装置などの汚染物処理装置が設置された汚染物処理エリア内での作業の安全を期し、また、汚染物処理エリア内の病原性微生物あるいは有害物から一般エリアを防護する汚染物処理エリアにおける安全管理設備を提供することにある。
【００１１】
【課題を解決するための手段】
上記目的を達成するため、本発明による汚染物処理エリアにおける安全管理設備においては、処理室と、準備室とを有する汚染物処理エリアにおける安全管理設備であって、
処理室は、汚染物処理が設置された汚染物処理エリアを一般エリアから隔離する区画であり、室内には排気ファンが接続され、
排気ファンは、室内の空気を排気管内に吸引して一般エリアに排気するとともに処理室内を負圧に保持するものであり、排気管に排気を浄化するフィルターを有し、
準備室は、処理室内で作業する作業者、作業服、作業用具などを洗浄する部屋であり、処理室に通じ、排気ファンの吸引力が作用して内部は負圧に保持されるものである。
【００１２】
また、準備室は、更衣室とシャワー室であり、
更衣室は、作業員が一般エリアで着用する衣服と汚染物処理エリアで着用する防護服との着替室であり、
シャワー室は、処理室内での作業を終えた作業員の防護服や作業器具類を空気、水又は薬剤にて洗浄する室であり、
更衣室とシャワー室とは、作業員が処理室の負圧になれるための段階的減圧室をかねているものである。
【００１３】
また、処置室とシャワー室間およびシャワー室と更衣室間および更衣室と一般エリア間は、小窓で連通し、小窓には処理室内の負圧に吸引されて小窓を開放する方向に傾くバランシングダンパーが設けられているものである。
【００１４】
また、汚染物の処理エリアは、医療施設から発生する感染性排水の処理エリアであり、医療施設の建物の免震階の空間に設定され、
汚染物の処理エリアに建てられた処理室内は、医療施設の病床、手術室などから排出される感染性排水を貯留する原水槽を含む汚染物の処理設備が据え付けられているものである。
【００１５】
【発明の実施の形態】
以下本発明による汚染物処理エリアにおける安全管理設備を医療施設から発生する感染性排水の処理設備に適用した例を図によって説明する。図１において、本発明による安全管理設備を装備した医療施設（病院）の感染性排水を含む汚染物の処理設備である。
【００１６】
本発明は、処理室１と、準備室２とを有する汚染物処理エリアＤＡにおける安全管理設備である。処理室１は、汚染物処理装置が設置された汚染物処理エリアＤＡを一般エリアＯＡから隔離する区画である。室内には、汚染物処理装置として例えば、間接加熱方式の滅菌槽を有する感染性排水の滅菌処理装置４が据え付けられ、床Ｆには感染性排水の原水槽５が設置されている。
【００１７】
この滅菌処理装置４は、図２に示すように槽本体６と、槽本体６の外周にまかれたジャケットを７とからなる滅菌槽８とを有するものである。原水槽５内には、病棟の各病床、手術室などに発生し，配水管３を通じて送り込まれた感染性排水が貯められ、原水槽５内の感染性排水は、真空ポンプ９に吸引されて槽本体６内に送り込まれ、槽本体６内に送り込まれた感染性排水は、ジャケット７内に送入された蒸気の熱によって加熱、滅菌される、滅菌後、市水にて冷却されて下水として放流される。
【００１８】
図２に示す滅菌処理装置は、あくまで１例であって、本発明の設備に用いる滅菌処理装置は、この例に限られるものではない。図１において、処理室１内に開口した排気管１０には排気ファン１１が接続されている。排気ファン１１は、室内の空気を排気管１０内に吸引して一般エリアＯＡに排気するとともに処理室１内を負圧に保持するものであり、排気管１０には病原性微生物を補足して排気を浄化するフィルター１２を有している。
【００１９】
原水槽５は、マンホール１３でふさがれて処理室１からは隔離されているが、未処理の感染性排水が貯められる原水槽５には、排気管１０とは別に原水槽５から外気に通ずる配管１４が差し込まれ、その配管１４の管路の途中に除菌用のフィルター１５を介装するとともに、前記排気管１０と連通させ、排気ファン１１の負圧を管路内に作用させて原水槽５内の空気を吸引し、原水槽５内から吸引された空気を除菌をして大気中に放散させている。
【００２０】
準備室２は、処理室１内で作業する作業者、防護服、作業用具などを洗浄する部屋であり、排気ファン１１の吸引力が作用して内部は負圧に保持される。この実施形態において、準備室２は、更衣室１６とシャワー室１７とに区画している。更衣室１６は、作業員が一般エリアで着用する衣服と汚染物処理エリアで着用する防護服との着替室であり、シャワー室１７は、処理室１での作業を終えた作業員の防護服や作業器具類を空気、水、薬剤にて洗浄する室である。
【００２１】
処理室１とシャワー室１７間およびシャワー室１７と更衣室１６間および更衣室１６と一般エリアＯＡ間は、互いに小窓１８で連通し、小窓１８には処理室１内の負圧に吸引されて小窓１８を開放する方向に傾くバランシングダンパー１９が設けられており、準備室２を更衣室１６と、シャワー室１７とに区画しているのは、作業員が処理室１の負圧に慣れるための段階的減圧室をかねているものである。
【００２２】
すなわち、一般エリアＯＡから作業員が汚染物処理エリアＤＡ内に立ち入るに当たっては、更衣室１６と、シャワー室１７との２室を経ることによって、負圧に保たれている処理室１に入室するまでに体を負圧に慣らすのである。シャワー室１７内には、防護服や処理室内で使用した器具類を薬品や水で洗浄するシャワー２０と乾燥空気を送風するドライヤー２１が設置されている。
【００２３】
また、更衣室１６には、ロッカー２２のほか、作業員の身体浄化用のシャワー２３などを設置している。さらに、シャワーの使用によりシャワー室１７、更衣室１６に発生した排水は、ポンプ２４に吸引され、ドレイン管２５を通して原水槽５内に排水される。
【００２４】
本発明において、医療施設の病床、手術室などから排出される感染性排水は、排水管３を通して汚染物処理エリアＤＡ内の原水槽５に貯められ、原水槽５内の排水は、図２に示す真空ポンプ９で滅菌処理装置４の槽本体６内にくみ上げられ、滅菌処理装置４内で加熱滅菌処理されたあと、下水に放流される。なお、図１中、２６は、一般エリアから処理室１内を観察する覗き窓である。
【００２５】
汚染物処理エリアＤＡ内の滅菌処理装置４、原水槽５の清掃、オーバーホールを含めた保守点検作業を行うに際しては、作業に先立って排気ファン１１を起動する。排気ファン１１の起動によって、処理室１内は負圧となり、小窓１８を通してシャワー室１７内の空気が処理室１内に吸引される。同様にシャワー室１７内が負圧になって、更衣室１６内の空気がシャワー室１７に吸引され、更衣室１６には外気が吸引される。
【００２６】
更衣室１６、シャワー室１７、処理室１の順に外気が導入され、各室は負圧に維持される。作業員は、まず更衣室１６に入室して防護服をまとい、シャワー室１７を経て段階的に負圧に慣れた後、処理室１内に入室する。各室間の移動に際しては、それぞれの室のドアを開いて室内に入り、入室後、ドアを閉じるのは云うまでもない。処理室１に入室後、呼吸用空気供給装置（図示略）に防護服の吸入マスク（図示略）を接続し、呼吸用空気供給装置から供給される空気で呼吸しながら滅菌処理装置４、原水槽５の清掃、オーバーホールなどの作業を行う。
【００２７】
処理室１内の空気は、フィルター１２を通して除菌され、排気管１０を通して大気中に放散されるため、滅菌処理装置４、原水槽５の清掃、オーバーホールによって、もし、感染性排水に含まれる病原性微生物が装置内や原水槽５内から処理室１内の空気中に拡散することがあったとしても、これらの病原性微生物が大気中に放散されることがなく、また、処理室１はシャワー室１７に対して負圧に保たれるため、処理室１内の空気はシャワー室１７、更衣室１６、さらにはこれらの準備室２を通して一般エリアＯＡに漏れ出す恐れはない。
【００２８】
作業終了後、呼吸用空気供給装置から防護服の吸入マスクを外し、ドアを開いて、処理室１からシャワー室１７に入室し、薬品、あるいは水にて、シャワー２０にて作業器具類及び防護服に付着している病原性微生物、汚染物質を洗浄除去し、ドライヤー２１にて乾燥後、ドアを開いてシャワー室１７から更衣室１６に入室し、防護服を脱いで、これをロッカー２２に仕舞い、作業員は、シャワー２３を使用して汗を流し、着替え後、更衣室１６から一般エリアＯＡに戻り、一定時間後排気ファン１１の電源を切って作業を完了する。
【００２９】
以上実施形態においては、処理室１内で作業員が作業をする間だけ排気ファン１１を運転して処理室１内を含めて汚染物処理エリアＤＡを負圧にする例を説明したが、排気ファン１１を連続運転して処理室内１を常時負圧に保持してもよいのは勿論である。各室内が負圧であるかどうかは、各室間を仕切る仕切り壁の小窓に取り付けられたバランシングダンパー１９の動き、特に傾きの方向によって容易に判定できる。処理室１と準備室２であるシャワー室１７内、更衣室１６内が負圧に保持されている限り、処理室１内の病原性微生物、汚染物質が一般エリアＯＡに漏れ出すことはない。
【００３０】
本発明における汚染物処理エリアの設定場所は限定されるものではないが、高層ビル内で運営される医療機関では、図３に示すように医療施設の建物Ｂの免震階Ｆ０の空間に設定して汚染物の処理装置を据え付けるのが有利である。今まで建物Ｂの免震階Ｆ０は、建物には必要な空間でありながら、使えない空間であると考えられてきたが、免震階Ｆ０は、建物Ｂの最下層であり、外気に開放されているため、各階Ｆ１，Ｆ２、・・・の内、例えばＦ３の病床、手術室の排水設備Ｍに発生した排水を集めやすく、また、排気を大気中に放出するにも特別の工事を要しない。以上実施形態においては、医療施設の病床、手術室などから排出される感染性排水を貯留する原水槽を含む汚染物の処理設備に適用した例を説明したが、本発明は医療施設から発生する感染性排水の処理設備に限らず、ダイオキシンなどの有害物質による汚染物の処理施設にも同様に適用することが出来る。
【００３１】
【発明の効果】
本発明は以上のように加熱滅菌装置などの汚染物の処理装置が設置された汚染物処理エリア内での作業の安全を期し、また、汚染物処理エリア内の病原性微生物あるいは有害物から一般エリアを有効に、安全に防護して環境の汚染を防止し、特に、「感染症の予防および感染症の患者に対する医療に関する法律」の規定をクリアして感染性指定医療機関には義務づけられた安全な感染性処理設備を提供できる効果を有する。
【図面の簡単な説明】
【図１】本発明の１実施形態を示す図である。
【図２】汚染物処理装置の１例を示す図である。
【図３】本発明装置の設置例を示す図である。
【符号の説明】
１  処理室
２  準備室
３  配水管
４  滅菌処理装置
５  原水槽
６  槽本体
７  ジャケット
８  滅菌槽
９  真空ポンプ
１０  排気管
１１  排気ファン
１２  フィルター
１３  マンホール
１４  配管
１５  フィルター
１６  更衣室
１７  シャワー室
１８  小窓
１９  バランシングダンパー
２０  シャワー
２１  ドライヤー
２２  ロッカー
２３  シャワー
２４  ポンプ
２５  ドレン管
２６  覗き窓
２７  医療機関の建物
２８  免震階
ＯＡ  一般エリア
ＤＡ  汚染物処理エリア
【図１】
2004195067.tif 000004
【図２】
2004195067.tif 000005
【図３】
2004195067.tif 000006